(57)【要約】【課題】例えば、トイレを使用するような場合、使用者は車椅子からトイレへ、あるいは、トイレから車椅子へと着座状態と起立状態との間で姿勢変更することになり、この姿勢変更時において、自立支援機構により使用者の身体を保持することができ、使用者は着座状態と起立状態との間で容易に姿勢変更することができ、あるいは、車椅子の使用者を介護する介護者は使用者を着座状態と起立状態との間で容易に姿勢変更させることができ、車椅子の使用者の自立を促すことができ、あるいは、介護者の介護労力を軽減することができ、車椅子の使用の利便性を向上することができる。【解決手段】車椅子１の車体枠２に装着され、着座状態Ｔと起立状態Ｋとの間の使用者Ｍの姿勢変更時に使用者の身体Ｍ１を保持可能な自立支援機構１１を備えてなる。【選択図】図１
2014155550.tif 000002
【特許請求の範囲】
【請求項１】
車椅子の車体枠に装着され、着座状態と起立状態との間の使用者の姿勢変更時に使用者の身体を保持可能な自立支援機構を備えたことを特徴とする車椅子用自立支援装置。
【請求項２】
上記自立支援機構として、上記車体枠に支持枠を立設し、該支持枠に支持杆を立設し、該支持杆に保持杆を上下動自在に設け、該保持杆に使用者の身体に装着する装着具を設け、該支持枠に該保持杆を上下動させる上下動機構を設けてなることを特徴とする請求項１記載の車椅子用自立支援装置。
【請求項３】
上記上下動機構として、上記支持枠に手回ハンドルを設け、上記支持杆にネジ軸を立設し、上記保持杆に該ネジ軸に螺合するナット体を設け、該保持杆を回止可能な回止機構を設けると共に上記手回ハンドルの回転を該ネジ軸に伝動する歯車機構を設けてなることを特徴とする請求項１又は２記載の車椅子用自立支援装置。
【請求項４】
上記車体枠の前部に前車輪を進行方向に引出自在に設け、該車体枠の後部に後車輪を設けてなることを特徴とする請求項１〜３のいずれか１項に記載の車椅子用自立支援装置。
【請求項５】
上記請求項１〜４のいずれか１項に記載の車椅子用自立支援装置を備えた車椅子。
【発明の詳細な説明】
【技術分野】
【０００１】
本発明は例えば、病院患者、身体障害者、介護老人、被介護者等に用いられる車椅子用自立支援装置及びそれを備えた車椅子に関するものである。
【背景技術】
【０００２】
従来、この種の車椅子用自立支援装置として、車椅子が搭乗可能な可動部材を床面と同レベルの高さの水平姿勢と、前端側が床面と同レベルの高さで後端側が床面よりも高位となる前傾姿勢とに姿勢変更自在に床面に配設し、可動部材上に搭載した車椅子を可動部材の傾動により前傾姿勢に保持し、車椅子の前傾姿勢により車椅子への乗り降りをし易くする構造のものが知られている。
【先行技術文献】
【特許文献】
【０００３】
【特許文献１】特開２０１３−１３５４３
【発明の概要】
【発明が解決しようとする課題】
【０００４】
しかしながら上記従来構造の場合、床面に可動部材を傾動自在に配設すると共に可動部材を傾動させる傾動機構を配設する必要があり、設置場所に制約を受けると共に設置コストが高くなって普及性が低下することがあるという不都合を有している。
【課題を解決するための手段】
【０００５】
本発明はこれらの不都合を解決することを目的とするもので、本発明のうちで、請求項１記載の発明は、車椅子の車体枠に装着され、着座状態と起立状態との間の使用者の姿勢変更時に使用者の身体を保持可能な自立支援機構を備えたことを特徴とする車椅子用自立支援装置にある。
【０００６】
又、請求項２記載の発明は、上記自立支援機構として、上記車体枠に支持枠を立設し、該支持枠に支持杆を立設し、該支持杆に保持杆を上下動自在に設け、該保持杆に使用者の身体に装着する装着具を設け、該支持枠に該保持杆を上下動させる上下動機構を設けてなることを特徴とするものであり、又、請求項３記載の発明は、上記上下動機構として、上記支持枠に手回ハンドルを設け、上記支持杆にネジ軸を立設し、上記保持杆に該ネジ軸に螺合するナット体を設け、該保持杆を回止可能な回止機構を設けると共に上記手回ハンドルの回転を該ネジ軸に伝動する歯車機構を設けてなることを特徴とするものであり、又、請求項４記載の発明は、上記車体枠の前部に前車輪を進行方向に引出自在に設け、該車体枠の後部に後車輪を設けてなることを特徴とするものである。
【０００７】
又、請求項５記載の発明は、上記請求項１〜４のいずれか１項に記載の車椅子用自立支援装置を備えた車椅子にある。
【発明の効果】
【０００８】
本発明は上述の如く、請求項１又は５記載の発明にあっては、例えば、トイレを使用するような場合、使用者は車椅子からトイレへ、あるいは、トイレから車椅子へと着座状態と起立状態との間で姿勢変更することになり、この姿勢変更時において、自立支援機構により使用者の身体を保持することができ、使用者は着座状態と起立状態との間で容易に姿勢変更することができ、あるいは、車椅子の使用者を介護する介護者は使用者を着座状態と起立状態との間で容易に姿勢変更させることができ、車椅子の使用者の自立を促すことができ、あるいは、介護者の介護労力を軽減することができ、車椅子の使用の利便性を向上することができる。
【０００９】
又、請求項２記載の発明にあっては、上記自立支援機構として、上記車体枠に支持枠を立設し、支持枠に支持杆を立設し、支持杆に保持杆を上下動自在に設け、保持杆に使用者の身体に装着する装着具を設け、支持枠に保持杆を上下動させる上下動機構を設けてなるから、装着具に使用者の身体を装着し、上下動機構により保持杆を上昇させることにより使用者の身体を装着具で保持することができ、あるいは、上下動機構により保持杆を下降させることにより使用者の身体を装着具で保持することができ、着座状態と起立状態との間での使用者の姿勢変更を補助することができ、車椅子の使用者の自立を促すことができ、あるいは、介護者の介護労力を軽減することができ、又、請求項３記載の発明にあっては、この場合、上記上下動機構として、上記支持枠に手回ハンドルを設け、上記支持杆にネジ軸を立設し、上記保持杆にネジ軸に螺合するナット体を設け、保持杆を回止可能な回止機構を設けると共に上記手回ハンドルの回転をネジ軸に伝動する歯車機構を設けてなるから、手回ハンドルを正逆回転すると歯車機構、ネジ軸とナット体との螺着作用及び回止機構により保持杆を介して装着具を上下動させることができ、構造を簡素化することができる。
【００１０】
又、請求項４記載の発明にあっては、上記車体枠の前部に前車輪を進行方向に引出自在に設け、車体枠の後部に後車輪を設けてなるから、前車輪及び後車輪により車体枠を安定的に配置することができると共に走行時は前車輪を収納しておき、装着具の使用時は前車輪を引き出すことにより車体枠を一層安定的に設置することができ、使用の安全性を高めることができる。
【図面の簡単な説明】
【００１１】
【図１】本発明の実施の形態例の全体側面図である。
【図２】本発明の実施の形態例の全体後面図である。
【図３】本発明の実施の形態例の全体平面図である。
【図４】本発明の実施の形態例の部分拡大後面図である。
【図５】本発明の実施の形態例の部分側断面図である。
【図６】本発明の実施の形態例の使用状態の側面図である。
【図７】本発明の実施の形態例の使用状態の側面図である。
【発明を実施するための形態】
【００１２】
図１乃至図７は本発明の実施の形態例を示し、図１、図２、図３の如く、１は車椅子であって、車体枠２に座部３及び肘掛部４を配設し、車体枠２の左右両側に主軸５により車輪６・６を配設し、車体枠２の前部左右両側に前車輪７・７をガイド杆８・８により進行方向に引出自在に設け、車体枠２の後部左右両側に突出杆９・９により後車輪１０・１０を設けて構成している。
【００１３】
１１は自立支援機構であって、図１の如く、上記車椅子１の車体枠２に装着され、着座状態Ｔと起立状態Ｋとの間の使用者Ｍの姿勢変更時に使用者Ｍの身体Ｍ１を保持可能に構成されている。
【００１４】
この場合、上記自立支援機構１１として、図１、図４、図５の如く、上記車体枠２に門形状の支持枠１２を立設し、支持枠１２の中央部に支持板１３を介して管状の支持杆１４を立設し、支持杆１４の内周面に管状の保持杆１５の垂直杆部１５ａの外周面を摺動自在に貫挿して支持杆１４に保持杆１５を上下動自在に設け、垂直杆部１５ａ及び水平杆部１５ｂからなるＬ状の保持杆１５の水平杆部１５ｂに使用者Ｍの身体Ｍ１に装着する装着具１６を設け、装着具１６は垂下紐部１６ａ及び身体Ｍ１に掛合する環状の身体保持部１６ｂからなり、保持杆１５の水平杆部１５ｂに装着具１６の垂下紐部１６ａを吊下状に取り付け、支持枠１２に保持杆１５を上下動させる上下動機構１７を設けて構成している。
【００１５】
この場合、上記上下動機構１７として、図５の如く、上記支持枠１２に支持板１３及び支持片１８を介して手回ハンドル１９を回転軸２０により回転自在に設け、上記支持杆１４にネジ軸２１を軸受２２により回転自在に立設し、上記保持杆１５にネジ軸２１に螺合するナット体２３を設け、保持杆１５を回止可能な回止機構２４を設けると共に上記手回ハンドル１９の回転をネジ軸２１に伝動する歯車２５ａ・２５ｂからなる歯車機構２５を設けて構成している。
【００１６】
この場合、図４、図５の如く、上記回止機構２４として、上記保持杆１５に回止ピン２４ａを突設し、上記支持杆１４に回止ピン２４ａが摺動可能なガイド溝２４ｂを保持杆１５の上下動距離に応じた長さで形成し、回止ピン２４ａとガイド溝２４ｂとの係合摺動により保持杆１５を回止状態で上下動自在に設けて構成している。
【００１７】
この実施の形態例は上記構成であるから、例えば、トイレを使用するような場合、使用者Ｍは車椅子１からトイレへ、あるいは、トイレから車椅子１へと着座状態Ｔと起立状態Ｋとの間で姿勢変更することになり、この姿勢変更時において、図６から図７の如く、自立支援機構１１により使用者Ｍの身体Ｍ１を保持することができ、使用者Ｍは着座状態Ｔと起立状態Ｋとの間で容易に姿勢変更することができ、あるいは、車椅子１の使用者Ｍを介護する介護者Ｐは使用者Ｍを着座状態Ｔと起立状態Ｋとの間で容易に姿勢変更させることができ、車椅子１の使用者Ｍの自立を促すことができ、あるいは、介護者Ｐの介護労力を軽減することができ、車椅子１の使用の利便性を向上することができる。
【００１８】
この場合、上記自立支援機構１１として、上記車体枠２に支持枠１２を立設し、支持枠１２に支持杆１４を立設し、支持杆１４に保持杆１５を上下動自在に設け、保持杆１５に使用者Ｍの身体Ｍ１に装着する装着具１６を設け、支持枠１２に保持杆１５を上下動させる上下動機構１７を設けてなるから、装着具１６に使用者Ｍの身体Ｍ１を装着し、図１の実線位置から想像線位置に上下動機構１７により保持杆１５を上昇させることにより使用者Ｍの身体Ｍ１を装着具１６で保持することができ、あるいは、図１の想像位置から実線位置に上下動機構１７により保持杆１５を下降させることにより使用者Ｍの身体Ｍ１を装着具１６で保持することができ、着座状態Ｔと起立状態Ｋとの間での使用者Ｍの姿勢変更を補助することができ、車椅子１の使用者Ｍの自立を促すことができ、あるいは、介護者Ｐの介護労力を軽減することができ、又、この場合、上記上下動機構１７として、上記支持枠１２に手回ハンドル１９を設け、上記支持杆１４にネジ軸２１を立設し、上記保持杆１５にネジ軸２１に螺合するナット体２３を設け、保持杆１５を回止可能な回止機構２４を設けると共に上記手回ハンドル１９の回転をネジ軸２１に伝動する歯車機構２５を設けてなるから、手回ハンドル１９を正逆回転すると歯車機構２５、ネジ軸２１とナット体２３との螺着作用及び回止機構２４により保持杆１５を介して装着具１６を上下動させることができ、構造を簡素化することができる。
【００１９】
又、この場合、上記車体枠２の前部に前車輪７を進行方向に引出自在に設け、車体枠１の後部に後車輪１０を設けてなるから、前車輪７及び後車輪１０により車体枠２を安定的に配置することができると共に走行時は前車輪７を収納しておき、装着具１６の使用時は前車輪７を引き出すことにより車体枠２を一層安定的に設置することができ、使用の安全性を高めることができる。
【００２０】
尚、本発明は上記実施の形態例に限られるものではなく、車椅子１、自立支援機構１１、装着具１６、上下動機構１７、回止機構２４の構造や形態、材質等は適宜変更して設計され、例えば、上記上下動機構１７として、電動モータを用いる電動機構や油圧、空圧、電動シリンダを用いるシリンダ機構を採用することもできる。
【００２１】
以上、所期の目的を充分達成することができる。
【符号の説明】
【００２２】
Ｔ    着座状態
Ｋ    起立状態
Ｍ    使用者
Ｍ１    身体
１    車椅子
２    車体枠
７    前車輪
１０    後車輪
１１    自立支援機構
１２    支持枠
１４    支持杆
１５    保持杆
１６    装着具
１７    上下動機構
１９    手回ハンドル
２１    ネジ軸
２３    ナット体
２４    回止機構
２５    歯車機構
【図１】
2014155550.tif 000003
【図２】
2014155550.tif 000004
【図３】
2014155550.tif 000005
【図４】
2014155550.tif 000006
【図５】
2014155550.tif 000007
【図６】
2014155550.tif 000008
【図７】
2014155550.tif 000009